(57)【要約】【課題】パイプの径が異なっても、パイプ取付部の構成を変える必要がないようにすることができて、一種類のパイプ取付部で全ての径のパイプの埋設作業を確実に行うことのできるパイプ吊下装置を、簡単な構成によって提供すること。【解決手段】溝内に設置された土留めパネルまたは矢板間に配置される横軸部１０と、当該溝内に敷設すべきパイプＰを吊下する縦軸部２０と、この縦軸部２０の下端に設けたパイプ取付部３０と、を備えたパイプ吊下装置１００において、パイプ取付部３０を、数種の直径が異なるパイプＰを取り付け可能としたこと。【選択図】図１
2010127045.tif 000002
【特許請求の範囲】
【請求項１】
溝内に設置された土留めパネルまたは矢板間に配置される横軸部と、当該溝内に敷設すべきパイプを吊下する縦軸部と、この縦軸部の下端に設けたパイプ取付部と、を備えたパイプ吊下装置において、
前記パイプ取付部を、直径が異なる前記パイプを取り付け可能としたことを特徴とするパイプ吊下装置。
【請求項２】
前記パイプ取付部に、前記パイプの軸心と平行な除肉部を形成したことを特徴とする請求項１に記載のパイプ吊下装置。
【請求項３】
前記パイプ取付部を、前記縦軸部の下端に連結される連結部と、この連結部の両側に一体化されて、前記パイプの上面に当接する当接面をそれぞれ有した左右一対の翼部とを備えたものとするとともに、
前記各当接面のそれぞれを、内端部が前記連結部に向けて上方に傾斜する傾斜面としたことを特徴とする請求項１〜請求項２のいずれかに記載のパイプ吊下装置。
【請求項４】
前記パイプ取付部に、前記パイプの上面に突出する当接突起をそれぞれ形成したことを特徴とする請求項１〜請求項３のいずれかに記載のパイプ吊下装置。
【請求項５】
前記パイプ取付部に、前記パイプを取り付けるパイプ取付材を連結するためのパイプ取付材連結手段を設けたことを特徴とする請求項１〜請求項４のいずれかに記載のパイプ吊下装置。
【請求項６】
前記横軸部と縦軸部とを連結する支持部の、前記横軸部を支持する部分の下面が、前記パイプ取付部の内面の最上部より下方に位置するようにしたことを特徴とする請求項１〜請求項５のいずれかに記載のパイプ吊下装置。
【請求項７】
前記横軸部と前記縦軸部とを支持部によって互いに連結して支持するとともに、この支持部に回転可能に組み込んだ横軸側移動輪を、前記横軸部に当接させて回転させることにより、前記支持部の横方向への移動が行えるようにして、この支持部に支持した前記縦軸部の横方向への移動が行えるようにしたことを特徴とする請求項１〜請求項６のいずれかに記載のパイプ吊下装置。
【請求項８】
前記支持部に回転可能に組み込んだ縦軸側移動輪を、前記縦軸部に当接させて回転させることにより、前記支持部の縦方向への移動が行えるようにして、この支持部に支持した前記縦軸部の縦方向への移動が行えるようにしたことを特徴とする請求項１〜請求項７のいずれかに記載のパイプ吊下装置。
【請求項９】
前記支持部を前記横軸部の外側に対して横方向に移動可能に取り付けるとともに、前記横軸部にこれと平行なボールネジまたはラックギヤを取り付けて、これらのボールネジまたはラックギヤに対して前記支持部を横方向へ移動させることにより、前記縦軸部の横方向への移動を行えるようにしたことを特徴とする請求項１〜請求項８のいずれかに記載のパイプ吊下装置。
【請求項１０】
前記横軸部に案内支持部を連結し、この案内支持部内に可動ブロックを左右動可能に収納するとともに、前記案内支持部に、前記可動ブロックの上下を外方に臨ませる長穴を形成し、
かつ、前記縦軸部を前記可動ブロックに上下動可能に連結して、当該縦軸部を前記上下の両長穴から上下に突出させたことを特徴とする請求項１〜請求項６のいずれかに記載のパイプ吊下装置。
【請求項１１】
前記縦軸部の前記案内支持部に対する左右方向への移動は、前記可動ブロックに取り付けたチェーンまたはワイヤを移動させることにより行うようにしたことを特徴とする請求項１０に記載のパイプ吊下装置。
【請求項１２】
前記縦軸部の前記案内支持部に対する左右方向への移動は、前記案内支持部に取り付けたラチェットバークランプにより前記可動ブロックを移動させることにより行うようにしたことを特徴とする請求項１０に記載のパイプ吊下装置。
【請求項１３】
前記縦軸部の前記案内支持部に対する左右方向への移動は、前記案内支持部にボールネジ又はラックギヤを平行に取り付けておき、このボールネジの移動体又はピニオンを前記可動ブロックに取り付けて行うようにしたことを特徴とする請求項１０に記載のパイプ吊下装置。
【請求項１４】
前記縦軸部の前記案内支持部に対する左右方向への駆動手段として、又は前記横軸部の上下方向への駆動手段としてモータを適用したことを特徴とする請求項５〜請求項１３の何れかに記載のパイプ吊下装置。
【請求項１５】
前記縦軸部の前記横軸部に対する上下方向への移動は、前記縦軸部を構成しているネジ軸を、前記可動ブロックに対して上下動させて行うようにしたことを特徴とする請求項１０〜請求項１２の何れかに記載のパイプ吊下装置。
【請求項１６】
前記縦軸部を、箱状の上下調整部材と、この上下調整部材の側面に形成した上下方向に長い長穴と、上下調整部材内に上下動可能に収納した連結部材と、上下調整部材の上下にそれぞれ取付けた上側ネジ軸２３及び下側ネジ軸とにより構成し、
横軸部を、上下調整部材に形成した長穴を通して、上下調整部材内に収納してある連結部材に螺合されるネジ軸としたことを特徴とする請求項１〜請求項６のいずれかに記載のパイプ吊下装置。
【請求項１７】
前記横軸部を、互いに平行に配置される第１横軸及び第２横軸とから構成したことを特徴とする請求項１〜請求項１５の何れかに記載のパイプ吊下装置。
【請求項１８】
前記横軸部を、中空の横軸本体と、この横軸本体内に抜き差し自在に嵌挿されて、所定寸法突出させた位置で前記横軸本体に固定される第１中軸と、この第１中軸内に抜き差し自在に嵌挿される第２中軸と、この第２中軸または第１中軸に対して螺進螺退可能に螺着されるネジ軸とにより構成したことを特徴とする請求項１〜請求項１７の何れかに記載のパイプ吊下装置。
【請求項１９】
前記ネジ軸の一部にハンドルを一体的に取り付けて、このハンドルを回転させることにより、前記ネジ軸の中軸に対する突出量調整を行えるようにしたことを特徴とする請求項１８に記載のパイプ吊下装置。
【請求項２０】
前記ネジ軸の先端に、前記土留めパネルまたは矢板に当接される当接脚を連結して、この当接脚と前記ネジ軸との間にスラスト部材を介装したことを特徴とする請求項１８または請求項１９に記載のパイプ吊下装置。
【発明の詳細な説明】
【技術分野】
【０００１】
本発明は、地中に埋設する下水道管やヒューム管等のパイプを、溝内の所定位置に吊下するためのパイプ吊下装置に関し、特に、このパイプ吊下装置にパイプを取り付けるためのパイプ取付部を改良したパイプ吊下装置に関するものである。
【背景技術】
【０００２】
例えば、パイプの一種である下水道管を敷設する工事では、地面を掘削して溝を形成し、この溝内にパイプを敷設するようにしているが、その際には、下水の安定的な流下を促すために、下水道管の勾配を精密に設定しなければならない。そのため、従来では、特許文献１あるいは非特許文献１にも提案されているように、上記溝の両側に設置された土留めパネルまたは矢板間に、パイプ敷設作業を容易にするためのパイプ吊下装置が用いられていた。
【特許文献１】特許第４１６８２４６号掲載公報
【非特許文献１】株式会社エヌ・エス・ピー（住所岐阜県中津川市苗木９１６７番地）発行のカタログＶｏｌ．５
【発明の開示】
【発明が解決しようとする課題】
【０００３】
特許文献１の技術によれば、当該文献の段落００１０に記載されているような「大型のパイプであってもパイプ吊下げ時の位置決めを容易に行うことができ、作業性も向上させることができるパイプ吊下装置を提供すること」という目的が達成できたものであるが、そのパイプ取付部については、
「クランプ部（パイプを取り付けるところ）を、調整棒の下端が回動可能に貫通されて連結される上下方向の貫通孔を穿設した連結部と、この連結部に穿設された横方向の孔に螺合して、先端が調整棒の端部に当接する蝶ねじを有したものとして、この蝶ねじを緩めておいたときにはクランプ部を調整棒に対して回動させることができ、この蝶ねじを締め付けておいたときにはクランプ部を調整棒に対して固定するようにした」
ものである。
【０００４】
つまり、この特許文献１のパイプ吊下装置では、具体的には、非特許文献１の第１３頁の「施工手順（４）」（図２９）に示されているように、そのクランプ部（以下では、本発明で表現しているパイプ取付部と言うこととする）を、縦軸部の下端部を挟持して支持する二枚の連結板によって構成し、これら各連結板の下面に、埋設すべきパイプの曲面に合う曲面を形成して、当該パイプ取付部がパイプにピッタリと当接するようにしている。
【０００５】
図２９に示したような従来のパイプ取付部は、二枚の連結板からなることから軽量化を図る利点はあるものの、連結板を二枚用意しなければならないだけでなく、各連結板として、その下面の曲面が使用されるパイプ表面の曲面のものとしなければならないから、使用されるパイプの径毎のものを用意しなければならない。
【０００６】
また、一般に、この種のパイプ吊下装置は、パイプ埋設という土木工事で使用するものであるから、強度が高くて軽量なものが要求されている。しかも、この種のパイプ吊下装置は、上述したように、パイプに微妙な傾斜を付けながら埋設する際の上下位置調整具としての役割、そして設計された位置にパイプの中心が位置するようにする左右位置調整具としての役割を担うものであるから、これらの上下位置調整及び左右位置調整といった微妙な調整が簡単に行えるものである必要もある。
【０００７】
そこで、本発明者等は、この種のパイプ吊下装置について、パイプの径が異なっても適用でき、パイプの微妙な上下及び左右の位置調整が簡単に行えるようにするにはどうしたらよいか、について種々検討を重ねてきた結果、本発明を完成したのである。
【０００８】
すなわち、本発明の目的とするところは、第１に、パイプの径が異なっても、パイプ取付部の構成を変える必要がないようにすることができて、一種類のパイプ取付部で全ての径のパイプの埋設作業を確実に行うことのできるパイプ吊下装置を、簡単な構成によって提供することにある。
【０００９】
また、本発明の第２に目的とするところは、上記第１の目的を達成しながら、必要な強度と軽量化を達成することのできるパイプ吊下装置を、簡単な構成によって提供することにある。
【００１０】
さらに、本発明の第３に目的とするところは、上記第１及び第２の目的を達成しながら、パイプの上下及び左右の位置調整を簡単に行うことのできるパイプ吊下装置を提供することにある。
【課題を解決するための手段】
【００１１】
以上の課題を解決するために、まず、請求項１に係る発明の採った手段は、後述する最良形態の説明中で使用する符号を付して説明すると、
「溝内に設置された土留めパネルまたは矢板間に配置される横軸部１０と、当該溝内に敷設すべきパイプＰを吊下する縦軸部２０と、この縦軸部２０の下端に設けたパイプ取付部３０と、を備えたパイプ吊下装置１００において、
パイプ取付部３０を、数種の直径が異なるパイプＰを取り付け可能としたことを特徴とするパイプ吊下装置１００」
である。
【００１２】
すなわち、この請求項１に係るパイプ吊下装置１００は、図１〜図７に示すように、溝内に設置された土留めパネルまたは矢板間に配置される横軸部１０と、当該溝内に敷設すべきパイプＰを吊下する縦軸部２０と、この縦軸部２０の下端に設けたパイプ取付部３０と、を備えたものである。
【００１３】
横軸部１０は、特許文献１に示されたようなものであっても、また、図７〜図１１に示すようなものであってもよいが、いずれにしても、溝内に設置された土留めパネルまたは矢板間に、位置調整可能に配置されるものである。また、この横軸部１０は、後述するような当接脚１６が土留めパネルまたは矢板の内面に圧接されることによって、縦軸部２０、この縦軸部２０の下端に設けたパイプ取付部３０、及びこのパイプ取付部３０によって吊下されたパイプＰを、当該溝内の所定位置に吊下するものである。
【００１４】
縦軸部２０は、上記横軸部１０に対して直接、あるいは後述する支持部４０Ａや可動ブロック４０Ｂによって組み付けられるものであり、かつ、この横軸部１０に対する上下位置が調整可能になっているものである。そして、この縦軸部２０の下端には、パイプＰを取り付けるためのパイプ取付部３０が取り付けてある。
【００１５】
パイプ取付部３０は、図１、図３及び図４、または図５に示すように、その下面にパイプＰの上面を当接させた状態で当該パイプＰを吊下するものであり、かつ、当該パイプＰを変更することなく直径が異なるパイプＰを取り付け可能としているものである。
【００１６】
従って、この請求項１に係るパイプ吊下装置１００は、パイプＰの径が異なっても、パイプ取付部３０の構成を変える必要がないようにすることができるものとなっているのである。
【００１７】
また、上記課題を解決するために、請求項２に係る発明の採った手段は、上記請求項１に記載のパイプ吊下装置１００について、
「パイプ取付部３０に、パイプＰの軸心と平行な除肉部３２ｂを形成したこと」
である。
【００１８】
すなわち、この請求項２に係るパイプ吊下装置１００は、図１及び図３の（ａ）に示すように、これを構成しているパイプ取付部３０にパイプＰの軸心と平行な除肉部３２ｂを形成したものであり、これにより、当該パイプ取付部３０を所謂ブロック材で形成した場合、この除肉部３２ｂ分の材料を省略することができて、全体の軽量化を図り得るものとなっている。
【００１９】
従って、この請求項２に係るパイプ吊下装置１００は、上記請求項１のそれと同様な機能を発揮する他、パイプ取付部３０にパイプＰの軸心と平行な除肉部３２ｂを形成したことによって、全体の軽量化を図り得るものとなっているのである。
【００２０】
さらに、上記課題を解決するために、請求項３に係る発明の採った手段は、上記請求項１〜請求項２のいずれかに記載のパイプ吊下装置１００について、
「パイプ取付部３０を、縦軸部２０の下端に連結される連結部３１と、この連結部３１の両側に一体化されて、パイプＰの上面に当接する当接面３２ａをそれぞれ有した左右一対の翼部３２とを備えたものとするとともに、
各当接面３２ａのそれぞれを、内端部が連結部３１に向けて上方に傾斜する傾斜面としたこと」
である。
【００２１】
すなわち、この請求項３のパイプ吊下装置１００を構成しているパイプ取付部３０は、まず、図３に示すように、縦軸部２０の下端に連結される連結部３１と、この連結部３１の両側に一体化されて、パイプＰの上面に当接する当接面３２ａをそれぞれ有した左右一対の翼部３２とを備えたものである。そして、各翼部３２の当接面３２ａのそれぞれは、図３の（ａ）にも示すように、内端部が連結部３１に向けて上方に傾斜する傾斜面としてあるのである。
【００２２】
以上の通り、このパイプ取付部３０は、縦軸部２０の下端に連結される連結部３１と、この連結部３１の両側に一体化される左右一対の翼部３２とを備えたものとしたのであるから、このパイプ取付部３０を、金属の引き抜き材または押し出し材によって構成することができる。つまり、このパイプ取付部３０は、一個の独立した部品として構成できるのであり、図２９に示した従来のそれのような「二枚」に分かれたものとする必要がないから、片方を無くすことによって使用できなかったり、遠くにある片方を取りに行くといった不便がないだけでなく、縦軸部２０の下端部に対する取付作業も簡単に行えるものとなっているのである。
【００２３】
そして、連結部３１の両側に一体化した左右一対の翼部３２は、パイプＰの上面に当接するとともに、内端部が連結部３１に向けて上方に傾斜する傾斜面とした当接面３２ａをそれぞれ有していることから、このパイプ取付部３０は径のことなるパイプＰを吊下可能になっているのである。
【００２４】
何故なら、一対の翼部３２が連結部３１の左右に位置していて、かつ各翼部３２の当接面３２ａの内端部が連結部３１に向けて上方に傾斜する傾斜面となっていることから、一般的に断面が真円になっているパイプＰの上面の２箇所が、図１にも示すように、各当接面３２ａのどこかに、「線状」で当接することになるからである。この２本の線状の当接部は、例えば図５の（ａ）中の仮想線にて示すように、パイプＰの径が大きくなれば当接面３２ａの外側に段々と移動していくだけで必ず存在する。以上の結果、径の異なるパイプＰは、当該パイプ取付部３０の左右一対の翼部３２の当接面３２ａによって表面の２本の線状部分によって当接することになるのである。
【００２５】
従って、この請求項３に係るパイプ吊下装置１００は、上記請求項１または請求項２のそれと同様な機能を発揮する他、径の異なるパイプＰの吊下を、左右一対の翼部３２によってより一層確実に行えるものとなっているのである。
【００２６】
上記課題を解決するために、請求項４に係る発明の採った手段は、上記請求項１〜請求項３のいずれかに記載のパイプ吊下装置１００について、
「パイプ取付部３０に、パイプＰの上面に突出する当接突起３２ｃを複数形成したこと」
である。
【００２７】
すなわち、この請求項４のパイプ吊下装置１００では、そのパイプ取付部３０に、図５の（ａ）及び（ｂ）に示すように、パイプＰの上面に当接することになる当接突起３２ｃを複数形成したものであるが、これにより、図５の（ａ）中の仮想線にて示すように、径の異なるパイプＰにいずれかの当接突起３２ｃが当接することになって、パイプ取付部３０に対してパイプＰがガタ付くことなく安定的に取り付けられることになる。つまり、パイプＰは断面が真円であるから、このパイプＰの上面には２本の当接突起３２ｃが当接することになり、これらの当接突起３２ｃによってパイプＰはパイプ取付部３０に安定的に固定される。
【００２８】
この当接突起３２ｃを形成すれば、パイプ取付部３０の形状は、図５の（ａ）及び（ｂ）に示すものに限定されない。各当接突起３２ｃは、径の異なるパイプＰの上面に当接するものであるが、パイプ取付部３０下面が例えば平らか緩やかな傾斜しか有していないのであれば、各当接突起３２ｃのパイプ取付部３０からの突出量を、内側から外側に向けて順に大きくなるようにすればよい。
【００２９】
一方、翼部３２が左右一対で連結部３１に向けて傾斜するものであれば、径の異なるパイプＰ毎に、別の２本の当接突起３２ｃがパイプＰ上に当接することになる。換言すれば、当該当接突起３２ｃの突出量が一定であっても、当該当接突起３２ｃを複数有するパイプ取付部３０は、図５の（ａ）中の各仮想線にて示すように、径の異なるパイプＰの吊下が行える。
【００３０】
各当接突起３２ｃは、当該パイプ取付部３０を引き抜き材によって構成した場合は、パイプ取付部３０の引き抜き方向に連続する突条（直線状の突起）となるが、このような連続する突条でなくても、例えば上記引き抜き方向に並ぶ多数の突起群によって形成したものであってもよい。いずれにしても、各当接突起３２ｃは、パイプＰを取り付けたとき、パイプＰの軸心方向に延在しながら、つまり線状となってパイプＰ上面に当接することになる。
【００３１】
また、各当接突起３２ｃはパイプ取付部３０から突出した状態でパイプＰの上面に当接するのであるから、パイプ取付部３０自体はパイプＰに直接接触することはない。このため、この請求項４のパイプ取付部３０は、各当接突起３２ｃの存在によって汚れることがないだけでなく、パイプＰの直接的接触がないから破損することも少なく、耐久性が高くなっている。
【００３２】
なお、各当接突起３２ｃは、図６に示すような当接部３４として構成して実施してもよい。これらの当接部３４は、図６の（ａ）〜（ｃ）にて示すように、パイプ取付部３０の連結部３１から突出したものであり、当該パイプ取付部３０を、前述したように、引き抜き材によって構成するのを容易にしているものである。
【００３３】
従って、この請求項４に係るパイプ吊下装置１００は、上記請求項１〜請求項３のいずれかのそれと同様な機能を発揮する他、各当接突起３２ｃの存在によって、径の異なるパイプＰの吊下をより一層確実に行えるものとなっているのである。
【００３４】
上記課題を解決するために、請求項５に係る発明の採った手段は、上記請求項１〜請求項４のいずれかに記載のパイプ吊下装置１００について、
「パイプ取付部３０に、パイプＰを取り付けるパイプ取付材６０を連結するためのパイプ取付材連結手段５０を設けたこと」
である。
【００３５】
すなわち、この請求項５のパイプ吊下装置１００では、図１、図３及び図４に示すように、そのパイプ取付部３０にパイプ取付材連結手段５０を設けたものであり、このパイプ取付材連結手段５０によって、パイプＰに巻き付けたパイプ取付材６０のパイプ取付部３０に対する連結及び締め付けが確実に行えるのであり、これにより、パイプＰの確実な吊下を更に実現しているのである。
【００３６】
このパイプ取付材連結手段５０は、パイプ取付材６０の巻き取りと締め付け、及びパイプ取付部３０への連結を行うものであり、どのようなタイプのものであってもよいが、パイプ取付部３０の一箇所に設ければ十分である。パイプ取付材６０は、可撓性とパイプＰを吊下するのに十分な強度を有していて、所謂「紐状物」であるため、一方の端を当該パイプ取付材連結手段５０によって巻き取り・締め付けが行えれば、他方の端をパイプ取付部３０に係止しておくだけで、パイプＰに巻き付けてその吊下を行うには十分となるからである。勿論、２個のパイプ取付材連結手段５０によって、パイプ取付材６０の両端をそれぞれ巻き取るように実施してもよい。
【００３７】
後述する最良形態でのパイプ取付材連結手段５０は、そのレバーを手動で往復動させることにより、内部のラチェットでの作用により、パイプ取付材６０の巻き取り及び締め付けが行えるものである。
【００３８】
従って、この請求項５に係るパイプ吊下装置１００は、上記請求項１〜請求項４のいずれかのそれと同様な機能を発揮する他、パイプ取付材連結手段５０の存在によってパイプＰに巻き付けたパイプ取付材６０の巻き取りや締め付けを簡単に行え、パイプＰのパイプ取付部３０に対する固定を確実に行えるものとなっているのである。
【００３９】
さて、上記課題を解決するために、請求項６に係る発明の取った手段は、上記請求項１〜請求項５のいずれかに記載のパイプ吊下装置１００について、
「横軸部１０と縦軸部２０とを連結する支持部４０Ａの、横軸部１０を支持する部分の下面が、パイプ取付部３０の内面の最上部より下方に位置するようにしたこと」
である。
【００４０】
すなわち、この請求項６に係るパイプ吊下装置１００では、まず、横軸部１０及び縦軸部２０の支持を、例えば図１及び図２に示した例では支持部４０Ａによって行ったものである。そして、この請求項６のパイプ吊下装置１００では、図７または図９にて示すように、横軸部１０を支持する部分の下面が、パイプ取付部３０の内面の最上部より下方に位置するようにしたのである。
【００４１】
一般に、パイプ吊下装置を、例えば図２９に示すように、土留めパネルまたは矢板間に設置した場合に、パイプ吊下装置を構成している横軸部、縦軸部、及びパイプ取付部は、上下方向に高さのあるものとなる。一方、下水道管等のパイプＰは、長さの非常に長い溝内に多数のものを連続的に配置されるのであり、これら多数のパイプＰは、多数のパイプ吊下装置によって吊下されることになる。
【００４２】
ここで、多数のパイプ吊下装置が高さが高いものであると、これらの多数のパイプ吊下装置間で作業する人は、溝が深くて狭いこともあって、当該パイプ吊下装置上に乗ったり登ったりしないと、他の場所への移動ができないことになる。当該パイプ吊下装置上に人が乗ったり登ったりすれば、当該パイプ吊下装置が位置ずれしたり、場合によっては破損したりすることになる。
【００４３】
ところが、この請求項６に係るパイプ吊下装置１００では、横軸部１０と縦軸部２０とを連結する支持部４０Ａの、横軸部１０を支持する部分の下面が、パイプ取付部３０の内面の最上部より下方に位置するようにしてあるから、例えば図７に示すように、当該パイプ吊下装置１００がパイプＰを吊下した場合であっても、その高さが、人が跨げる程度まで低くなることになる。
【００４４】
従って、この請求項６に係るパイプ吊下装置１００は、上記請求項１〜請求項５のいずれかのそれと同様な機能を発揮する他、その高さを人が跨げる程度まで低くできるから、パイプＰの吊下作業時等においてこれに乗ったり登ったりする必要がなくなるのであり、位置ずれや損傷が発生しにくいものとなっている。
【００４５】
上記課題を解決するために、請求項７に係る発明の採った手段は、上記請求項１〜請求項６のいずれかに記載のパイプ吊下装置１００について、
「横軸部１０と縦軸部２０とを支持部４０Ａによって互いに連結して支持するとともに、この支持部４０Ａに回転可能に組み込んだ横軸側移動輪４１を、横軸部１０に当接させて回転させることにより、支持部４０Ａの横方向への移動が行えるようにして、この支持部４０Ａに支持した縦軸部２０の横方向への移動が行えるようにしたこと」
である。
【００４６】
すなわち、この請求項７に係るパイプ吊下装置１００は、図７〜図９に示すように、まず、横軸部１０と縦軸部２０とを支持部４０Ａによって互いに連結して支持したものであり、この支持部４０Ａ内に組み込んだ横軸側移動輪４１を横軸部１０に当接させたものである。
【００４７】
つまり、このパイプ吊下装置１００では、横軸側移動輪４１を横軸部１０に当接させて回転させることにより、支持部４０Ａが横軸部１０の横方向へ移動することになる。この支持部４０Ａには縦軸部２０が支持してあるから、この支持部４０Ａが横方向へ移動することによって、この支持部４０Ａに支持されている縦軸部２０自体も横方向へ移動されることになるのである。
【００４８】
横方向へ移動される縦軸部２０の下端にはパイプ取付部３０を介してパイプＰが取り付けられているのであるから、この縦軸部２０の横方向への移動によって、当該パイプＰの左右方向での位置調整がなされることになる。つまり、後述する最良形態では、図７中に示したハンドル４１ａを回わして横軸側移動輪４１を回転させれば、縦軸部２０、従ってこれに吊下されているパイプＰの横方向への位置調整が行えるのである。
【００４９】
従って、この請求項７のパイプ吊下装置１００は、上記請求項１〜請求項６のそれと同様な機能を発揮する他、横軸側移動輪４１を回転させることによってパイプＰの横方向の位置調整が簡単に行えるものとなっているのである。
【００５０】
また、請求項８に係る発明の採った手段は、上記請求項１〜請求項７のいずれかに記載のパイプ吊下装置１００について、
「支持部４０Ａに回転可能に組み込んだ縦軸側移動輪４２を、縦軸部２０に当接させて回転させることにより、この支持部４０Ａに支持した縦軸部２０の縦方向への移動が行えるようにしたこと」
である。
【００５１】
すなわち、この請求項８に係るパイプ吊下装置１００では、縦軸部２０の縦方向への移動が行えるようにして、パイプＰの上下方向の吊下位置を調整できるようにしたものである。
【００５２】
つまり、図７または図９に示すように、縦軸側移動輪４２を支持部４０Ａに回転可能に組み込んでおき、この縦軸側移動輪４２を縦軸部２０に当接させて回転させることにより、この支持部４０Ａに支持した縦軸部２０が縦方向へ移動することになるから、この縦軸部２０の吊下したあるいは吊下されるべきパイプＰの上下方向の位置調整が行えるのである。
【００５３】
後述する最良形態では、縦軸側移動輪４２にハンドル４２ａが取り付けてあるから、この縦軸側移動輪４２の回転はこのハンドル４２ａを手動で回すことにより行える。勿論、このハンドル４２ａと縦軸側移動輪４２との間に減速ギアを介装しておけば、手動での回転操作は、仮に縦軸部２０が重いパイプＰを吊下していても容易に行える。
【００５４】
従って、この請求項８のパイプ吊下装置１００は、上記請求項１〜請求項７のそれと同様な機能を発揮する他、縦軸側移動輪４２を回転させることによってパイプＰの縦方向（上下方向）の位置調整が簡単に行えるものとなっているのである。
【００５５】
上記課題を解決するために、請求項９に係る発明の採った手段は、上記請求項１〜請求項６のいずれかに記載のパイプ吊下装置１００について、
「支持部４０Ａを横軸部１０の外側に対して横方向に移動可能に取り付けるとともに、横軸部１０にこれと平行なボールネジ４３またはラックギヤ４４を取り付けて、これらのボールネジ４３またはラックギヤ４４に対して支持部４０Ａを横方向へ移動させることにより、縦軸部２０の横方向への移動を行えるようにしたこと」
である。
【００５６】
すなわち、この請求項９に係るパイプ吊下装置１００は、図１０に示すように、縦軸部２０の横方向への移動を、ボールネジ４３またはラックギヤ４４によって行えるようにして、縦軸部２０、従ってこれにパイプ取付部３０を介して吊下されるパイプＰの水平方向の位置調整が行えるようにしたものである。そのために、この請求項９のパイプ吊下装置１００では、横軸部１０の外側に対して、支持部４０Ａを横方向に移動可能に取り付けてあり、横軸部１０にはこれと平行なボールネジ４３またはラックギヤ４４が取り付けてある。
【００５７】
これらのボールネジ４３またはラックギヤ４４は、図１０の（ｂ）に示すように、端部の傘歯車４１ａまたはピニオン４３を介して図示しない駆動装置（一般にモータ）によって回転されるものであり、その中間部にて支持部４０Ａ内に螺合または噛合しているものである。
【００５８】
以上のようにした結果、ボールネジ４３またはラックギヤ４４を図示しないモータなどによって所定方向に回転させれば、これらのボールネジ４３またはラックギヤ４４が螺合または噛合している支持部４０Ａを横方向へ移動させることになり、この支持部４０Ａに取り付けてある縦軸部２０が自動的に横方向へ移動する、つまり縦軸部２０の水平方向での位置調整が行えることになる。
【００５９】
従って、この請求項９のパイプ吊下装置１００は、上記請求項１〜請求項６のそれと同様な機能を発揮する他、ボールネジ４３またはラックギヤ４４を回転させることによってパイプＰの横方向（左右方向）の位置調整が簡単に行えるものとなっているのである。
【００６０】
また、上記課題を解決するために、請求項１０に係る発明の採った手段は、上記請求項１〜請求項６のいずれかに記載のパイプ吊下装置１００について、
「横軸部１０に案内支持部１１を連結し、この案内支持部１１内に可動ブロック４０Ｂを左右動可能に収納するとともに、案内支持部１１に、可動ブロック４０Ｂの上下を外方に臨ませる長穴１２を形成し、
かつ、縦軸部２０を可動ブロック４０Ｂに上下動可能に連結して、当該縦軸部２０を上下の両長穴１２から上下に突出させたこと」
である。
【００６１】
すなわち、この請求項１０に係るパイプ吊下装置１００は、可動ブロック４０Ｂによって縦軸部２０の水平方向の位置調整が行えるようにしたものであり、そのために、このパイプ吊下装置１００では、図１３及び図１７に示すように、横軸部１０に案内支持部１１を連結し、この案内支持部１１内に可動ブロック４０Ｂを左右動可能に収納したものである。勿論、案内支持部１１には、図１７に示すように、可動ブロック４０Ｂの上下を外方に臨ませる長穴１２が形成してある。
【００６２】
また、縦軸部２０は、図１３及び図１５に示すように、可動ブロック４０Ｂに対して上下動可能に連結してあるとともに、図１７にも示すように、上下の両長穴１２から上下に突出させてある。
【００６３】
なお、縦軸部２０の上下方向の位置調整は、この縦軸部２０を構成して可動ブロック４０Ｂに螺合させてあるネジ軸２３を回転させることによりなされる。このネジ軸２３の回転自体は、手動で行ったり、モータによって回転させたりすることによってなされる。
【００６４】
特に、この請求項１０に係るパイプ吊下装置１００では、横軸部１０に案内支持部１１を連結し、この案内支持部１１内に、縦軸部２０の横方向の位置調整を行う可動ブロック４０Ｂを左右動可能に収納するようにしているから、非常に重いパイプＰを吊下したときの縦軸部２０の横軸部１０に対する支持を無理なく行えるのである。
【００６５】
また、この請求項１０に係るパイプ吊下装置１００では、案内支持部１１内に収納した可動ブロック４０Ｂを、モータ等によって左右動し得るようにしているから、非常に重いパイプＰを吊下した縦軸部２０の横方向への位置調整を容易に行なえるものとなっているのである。
【００６６】
従って、この請求項１０のパイプ吊下装置１００は、上記請求項１〜請求項６のそれと同様な機能を発揮する他、パイプＰが大きくて非常に重いものであっても、その横方向（水平方向）への位置調整が簡単に行えるものとなっているのである。
【００６７】
また、上記課題を解決するために、請求項１１に係る発明の採った手段は、上記請求項１０に記載のパイプ吊下装置１００について、
「縦軸部２０の案内支持部１１に対する左右方向への移動は、可動ブロック４０Ｂに取り付けたチェーンまたはワイヤ４７を移動させることにより行うようにしたこと」
である。
【００６８】
すなわち、この請求項１１に係るパイプ吊下装置１００では、その可動ブロック４０Ｂには、図１６に示すように、案内支持部１１内に組み込んだチェーンまたはワイヤ４７の両端部が接続してあり、チェーンまたはワイヤ４７は図示しないモータなどによって回転されるスプロケット等に掛装してある。つまり、図示しないモータ等が所定方向に回転されると、可動ブロック４０Ｂが、チェーンまたはワイヤ４７を介して図１６の左右方向に移動されることになるのであり、これにより、当該可動ブロック４０Ｂに支持された縦軸部２０の横方向の位置調整が行えるのである。
【００６９】
また、この請求項１１に係るパイプ吊下装置１００では、案内支持部１１内に収納した可動ブロック４０Ｂを、モータ等によって駆動されるチェーンまたはワイヤ４７によって左右動するようにしているから、非常に重いパイプＰを吊下した縦軸部２０の横方向への位置調整を容易に行なえるものとなっているのである。
【００７０】
従って、この請求項１１のパイプ吊下装置１００は、上記請求項１０のそれを、パイプＰが大きくて非常に重いものであっても、その横方向（水平方向）への位置調整がさらに簡単に行えるものとしているのである。
【００７１】
一方、請求項１２に係る発明の採った手段は、上記請求項１０に記載のパイプ吊下装置１００について、
「縦軸部２０の案内支持部１１に対する左右方向への移動は、案内支持部１１に取り付けたラチェットバークランプ４５により可動ブロック４０Ｂを移動させることにより行うようにしたこと」
である。
【００７２】
ラチェットバークランプ４５は、図１９及び図２０に示すように、横軸部１０にこれと平行に取り付けた案内支持部１１に組み付けられるもので、そのレバーを手で握ることにより、図示しない内部機構による「ギクシャク運動」によって、案内支持部１１に対して所定寸法進行し得るようにしたものであり、この進行によって当該ラチェットバークランプ４５のクランプ部４５ａが可動ブロック４０Ｂを押すものである。
【００７３】
勿論、可動ブロック４０Ｂの横方向への移動は、横軸部１０の左右方向へ行う必要があるから、ラチェットバークランプ４５としては２個用意され、その各クランプ部４５ａが可動ブロック４０Ｂの両側に当接し得るようにしてある。なお、各ラチェットバークランプ４５のレバーによる進行方向は一方向であるため、その案内支持部１１に対する固定を行う機構については、解除手段が設けてある。
【００７４】
従って、この請求項１２のパイプ吊下装置１００は、上記請求項１０のそれについて、可動ブロック４０Ｂの横方向の移動を各ラチェットバークランプ４５によって行えるようになっており、モータやチェーンやワイヤ４７を要することなく、パイプＰの横方向（水平方向）への位置調整が行えるものとしているのである。
【００７５】
さらに、請求項１３に係る発明の採った手段は、上記請求項１０に記載のパイプ吊下装置１００について、
「縦軸部２０の案内支持部１１に対する左右方向への移動は、案内支持部１１にボールネジ４３またはラックギヤ４４を平行に取り付けておき、このボールネジ４３の移動体４３ａまたはピニオン４４ｂを可動ブロック４０Ｂに取り付けて行うようにしたこと」
である。
【００７６】
すなわち、この請求項１３に係るパイプ吊下装置１００では、図２２及び図２３に示すように、案内支持部１１にボールネジ４３またはラックギヤ４４を平行に取り付けておき、このボールネジ４３の移動体４３ａまたはピニオン４４ｂを可動ブロック４０Ｂに取り付けたものである。
【００７７】
そして、この請求項１３に係るパイプ吊下装置１００では、ボールネジ４３またはラックギヤ４４をモータ等によって回転駆動させることにより、移動体４３ａまたはピニオン４４ｂを介して可動ブロック４０Ｂを左右方向へ移動させ、この可動ブロック４０Ｂの左右動によって縦軸部２０の案内支持部１１に対する左右方向への移動を行うようにしたものである。
【００７８】
従って、この請求項１３のパイプ吊下装置１００は、上記請求項１０のそれについて、可動ブロック４０Ｂの横方向の移動をボールネジ４３またはラックギヤ４４によって行えるようになっており、パイプＰの横方向（水平方向）への位置調整を容易に行えるものとしているのである。
【００７９】
さて、上記課題を解決するために、請求項１４に係る発明の採った手段は、上記請求項５〜請求項１３のいずれかに記載のパイプ吊下装置１００について、
「縦軸部２０の案内支持部１１に対する左右方向への駆動手段として、または横軸部１０の上下方向への駆動手段としてモータ４６を適用したこと」
である。
【００８０】
すなわち、この請求項１４に係るパイプ吊下装置１００では、例えば図２３に示すように、モータ４６によって必要部材、例えば、ネジ軸１４や２３、あるいはボールネジ４３やラックギヤ４４を回転駆動するようにしたものである。
【００８１】
つまり、この請求項１４のパイプ吊下装置１００では、ネジ軸１４や２３、あるいはボールネジ４３やラックギヤ４４をモータ４６によって回転駆動するのであり、これによって縦軸部２０の案内支持部１１に対する左右方向への駆動がなされるのであるから、その位置調整が容易に行えるものとなっているのである。
【００８２】
従って、この請求項１４に係るパイプ吊下装置１００では、上記請求項５〜請求項１３のいずれかのそれと同様な機能を発揮する他、縦軸部２０の位置調整が容易に行えるものとなっているのである。
【００８３】
また、請求項１５に係る発明の採った手段は、上記請求項１０〜請求項１４のいずれかに記載のパイプ吊下装置１００について、
「縦軸部２０の横軸部１０に対する上下方向への移動は、縦軸部２０を構成しているネジ軸２３を、可動ブロック４０Ｂに対して上下動させて行うようにしたこと」
である。
【００８４】
すなわち、この請求項１５に係るパイプ吊下装置１００では、図１３及び図１６に示すように、縦軸部２０を構成しているネジ軸２３を、可動ブロック４０Ｂに対して上下動させるようにしたものであり、これにより、縦軸部２０の横軸部１０に対する上下方向への移動が行えるようにしたものである。
【００８５】
従って、この請求項１５に係るパイプ吊下装置１００は、上記請求項１０〜請求項１４のいずれかのどれと同様な機能を発揮する他、縦軸部２０を構成しているネジ軸２３を可動ブロック４０Ｂに対して上下動させるようにしているから、構成が簡単なものとなっているのである。
【００８６】
上記課題を解決するために、請求項１６に係る発明の採った手段は、上記請求項１〜請求項６のいずれかに記載のパイプ吊下装置１００について、
「縦軸部２０を、箱状の上下調整部材２２と、この上下調整部材２２の側面に形成した上下方向に長い長穴２２ａと、上下調整部材２２内に上下動可能に収納した連結部材２１と、上下調整部材２２の上下にそれぞれ取付けた上側ネジ軸２３及び下側ネジ軸２４とにより構成し、
横軸部１０を、上下調整部材２２に形成した長穴２２ａを通して、上下調整部材２２内に収納してある連結部材２１に螺合されるネジ軸としたこと」
である。
【００８７】
すなわち、この請求項１６のパイプ吊下装置１００では、図２４〜図２６に示すように、まず、縦軸部２０を、箱状の上下調整部材２２と、この上下調整部材２２の側面に形成した上下方向に長い長穴２２ａと、上下調整部材２２の上下にそれぞれ取付られる上側ネジ軸２３及び下側ネジ軸２４とにより構成してある。
【００８８】
一方、横軸部１０は、上下調整部材２２内に上下動可能に収納した連結部材２１に、上下調整部材２２に形成した長穴２２ａを通して螺合されるネジ軸として構成してある。そして、縦軸部２０を構成している上側ネジ軸２３の下端は、上下調整部材２２内の連結部材２１に回転自在に連結してある。
【００８９】
そして、縦軸部２０の横軸部１０に対する上下方向への移動は、ネジ軸２３を回転させることにより、上下調整部材２２に対してネジ軸２３を進退させることにより行えるのである。つまり、ネジ軸２３を例えば正回転させることによりこのネジ軸２３は上下調整部材２２に対して螺進し、相対的に連結部材２１が上動するのであり、結果的に、縦軸部２０は横軸部１０に対して上動することになる。縦軸部２０を下動させたい場合は、ネジ軸２３を逆回転させればよい。
【００９０】
従って、この請求項１６のパイプ吊下装置１００は、上記請求項１〜請求項６のいずれかに記載のそれと同様な機能を発揮する他、縦軸部２０を上下調整部材２２と、この中に上下動可能に収納した連結部材２１とにより構成したから、横軸部１０や縦軸部２０の位置調整を簡単かつ各自に行えるものとなっているのである。
【００９１】
そして、請求項１７に係る発明の採った手段は、上記請求項１〜請求項１５のいずれかに記載のパイプ吊下装置１００について、
「横軸部１０を、互いに平行に配置される第１横軸１０ａ及び第２横軸１０ｂとから構成したこと」
である。
【００９２】
すなわち、この請求項１７のパイプ吊下装置１００では、その横軸部１０を、例えば図２０〜図２３に示すように、互いに平行に配置される第１横軸１０ａ及び第２横軸１０ｂとから構成したものである。
【００９３】
本来、横軸部１０は、図２９にも示すように、溝の両側に設置されている土留めパネルまたは矢板間に「突っ張り状態」で取り付けられるものであるから、縦軸部２０、その下端のパイプ取付部３０、及びこのパイプ取付部３０によって吊下されるパイプＰの総重量以外の力は加わらないものであり、これらの重量に十分耐え得る剛性を有していれば十分である。
【００９４】
ところが、例えば図２９に示した従来のパイプ吊下装置１００を構成している横軸部１０は、鉄を材料とした丸パイプを使用して形成されているため、非常に重量のあるものとなっていて、作業現場等での取り扱いが困難なものとなっていた。しかも、この図２９に示した従来のパイプ吊下装置１００では、その横軸部１０が一本で縦軸部２０に直接的に連結されていることから、どうしても太い鉄パイプを使用しなければならなかったため、パイプ吊下装置１００全体の重量増大の原因となっていたのである。
【００９５】
以上の点を踏まえて、本発明者等が鋭意検討を加えた結果、この横軸部１０は、上述したように、土留めパネルまたは矢板間に「突っ張り状態」で取り付けられるものであり、縦軸部２０、その下端のパイプ取付部３０、及びこのパイプ取付部３０によって吊下されるパイプＰの総重量に耐えれば十分であることに気付いたのである。
【００９６】
そこで、この請求項１７のパイプ吊下装置１００では、その横軸部１０を、例えば図２０〜図２３に示すように、互いに平行に配置される第１横軸１０ａ及び第２横軸１０ｂとから構成したのである。勿論、これらの第１横軸１０ａ及び第２横軸１０ｂはそのままでは分離してしまうから、両者を案内支持部１１によって連結するようにしたのである。
【００９７】
以上のように構成することによって、第１横軸１０ａ及び第２横軸１０ｂについては、アルミニウムのような軽金属で構成することができて、全体の重量を軽減できるのであり、しかも、案内支持部１１によって縦軸部２０の縦方向の移動を可能にする場所が確保できるのである。
【００９８】
従って、この請求項１７に係るパイプ吊下装置１００は、上記請求項１〜請求項１５のいずれかに記載のそれと同様な機能を発揮する他、これを構成している横軸部１０の軽量化を図ることができ、結果として施工現場等での取り扱いがし易いものとなっているのである。
【００９９】
そして、上記課題を解決するために、請求項１８に係る発明の採った手段は、上記請求項１〜請求項１７のいずれかに記載のパイプ吊下装置１００について、
「横軸部１０を、中空の横軸本体１０Ａと、この横軸本体１０Ａ内に抜き差し自在に嵌挿されて、所定寸法突出させた位置で横軸本体１０Ａに固定される第１中軸１３ａと、この第１中軸１３ａ内に抜き差し自在に嵌挿される第２中軸１３ｂと、この第２中軸１３ｂまたは第１中軸１３ａに対して螺進螺退可能に螺着されるネジ軸１４とにより構成したこと」
である。
【０１００】
すなわち、この請求項１８に係るパイプ吊下装置１００は、その横軸部１０を、図１２に示すように、中空の横軸本体１０Ａと、この横軸本体１０Ａ内に抜き差し自在に嵌挿されて、所定寸法突出させた位置で横軸本体１０Ａに固定される第１中軸１３ａと、この第１中軸１３ａ内に抜き差し自在に嵌挿される第２中軸１３ｂと、この第２中軸１３ｂまたは第１中軸１３ａに対して螺進螺退可能に螺着されるネジ軸１４とにより構成したものである。
【０１０１】
これにより、当該横軸部１０は、図１２の（ａ）に示したように、全ての部材を中空の横軸本体１０Ａ内に全て収めることができて、横方向の長さを従来のものに比して短くすることができるのである。また、図１２の（ｂ）に示したように、全ての部材を中空の横軸本体１０Ａ等から引き出したりネジ出したりすれば、図１２の（ａ）に示した状態の倍近い寸法のものとすることができるのである。
【０１０２】
以上の結果、当該横軸部１０は、使用しない場合には、図１２の（ａ）に示したようにコンパクトにしておくことができ、使用時には、図１２の（ｂ）に示したようなスパンの溝に対応させることができ、使用勝手のよいものとなっているのである。
【０１０３】
また、この請求項１８に係るパイプ吊下装置１００を使用する場合は、その横軸本体１０Ａ内から第１及び第２中軸１３ａ・１３ｂを引き出して、当該横軸部１０の両端に設けてある当接脚１６間の寸法が、土留めパネルまたは矢板間の寸法程度になるようにする。そして、これらの中軸１３・１３ｂが横軸本体１０Ａから所定寸法（当該横軸部１０がパネルや矢板間から落ちない程度の位置）突出されたら、その位置で、横軸本体１０Ａ及び中軸１３・１３ｂに形成された位置決め穴に例えば固定ピンを差し込んで両者を固定する。
【０１０４】
次に、何れか少なくとも一方の中軸１３または１３ｂに対しては、ネジ軸１４が螺進螺退可能に螺着してあるから、このネジ軸１４を何らかの手段によって螺進（必要に応じて螺退）させるのである。そうすると、この横軸部１０は、左右のパネルもしくは矢板を左右に押し広げるように、これらのパネルもしくは矢板間で「突っ張る」ことになって、当該パイプ吊下装置１００の溝内での固定が完了するのである。このネジ軸１４の回転量は、当該横軸部１０がパネルや矢板間から落ちない程度の位置で既に各中軸１３・１３ｂの引き出しが行われているのであるから、当該横軸部１０がパネルや矢板間で突っ張れる程度、つまりほんの少しで十分である。
【０１０５】
従って、この請求項１８に係るパイプ吊下装置１００は、上記請求項１〜請求項１７のいずれかに係るそれと同様な機能を発揮する他、短くして収めて長くして使用できるだけでなく、ネジ軸１４のほんの少しの回転で、パネルもしくは矢板間で突っ張ることになり、パイプ吊下装置１００の吊下作業の準備を簡単に行うことができるものとなっている。
【０１０６】
以上の課題を解決するために、請求項１９に係る発明の採った手段は、上記請求項１８に記載のパイプ吊下装置１００について、
「ネジ軸１４の一部にハンドル１７を一体的に取り付けて、このハンドル１７を回転させることにより、ネジ軸１４の中軸１３に対する突出量調整を行えるようにしたこと」
である。
【０１０７】
すなわち、この請求項１９に係るパイプ吊下装置１００は、ネジ軸１４の一部にハンドル１７が一体的に取り付けてあり、このハンドル１７を回転させれば、ネジ軸１４が自動的に回転されることになる。
【０１０８】
従って、この請求項１９に係るパイプ吊下装置１００では、上記請求項１８のそれと同様な機能を発揮する他、ｚを回転させることによってネジ軸１４の回転を行うことができ、ネジ軸１４の回転のための特別な道具を必要としないものとなっているのである。
【０１０９】
さらに、請求項２０に係る発明の採った手段は、上記請求項１８または請求項１９に記載のパイプ吊下装置１００について、
「ネジ軸１４の先端に、前記土留めパネルまたは矢板に当接される当接脚１６を連結して、この当接脚１６とネジ軸１４との間にスラスト部材１５を介装したこと」
である。
【０１１０】
すなわち、この請求項２０に係るパイプ吊下装置１００では、その横軸部１０を構成しているネジ軸１４の先にスラスト部材１５を介して当接脚１６を取り付けたものであり、土留めパネルまたは矢板に当接されて動かない当接脚１６に対して、ネジ軸１４を回転させることができるものとなっているのである。
【０１１１】
従って、この請求項２０に係るパイプ吊下装置１００は、上記請求項１８または１８に係るそれと同様な機能を発揮する他、ネジ軸１４の回転を円滑に行えるものとなっているのである。
【発明の効果】
【０１１２】
以上の通り、本発明は、
「溝内に設置された土留めパネルまたは矢板間に配置される横軸部１０と、当該溝内に敷設すべきパイプＰを吊下する縦軸部２０と、この縦軸部２０の下端に設けたパイプ取付部３０と、を備えたパイプ吊下装置１００において、
パイプ取付部３０を、数種の直径が異なるパイプＰを取り付け可能としたこと」
にその構成上の主たる特徴があり、これにより、パイプＰの径が異なっても、パイプ取付部３０の構成を変える必要がないようにすることができて、一種類のパイプ取付部３０で全ての径のパイプＰの埋設作業を確実に行うことができるパイプ吊下装置１００を、簡単な構成によって提供することができるのである。
【０１１３】
また、本発明は、上記と同様な効果を得ることができて、必要な強度と軽量化を達成することのできるパイプ吊下装置１００を、簡単な構成によって提供することができるのである。
【０１１４】
さらに、本発明は、上記と同様な効果を得ることができて、パイプＰの上下及び左右の位置調整を簡単に行うことのできるパイプ吊下装置１００を提供することができるのである。
【発明を実施するための最良の形態】
【０１１５】
次に、上記のように構成した各請求項に係る発明を、図面に示した最良の形態であるパイプ吊下装置１００について説明するが、この最良形態のパイプ吊下装置１００は、第１実施例〜第５実施例があるので、以下では各実施例毎に説明していくこととする。
【０１１６】
（第１実施例）
図１〜図９には、本発明の第１実施例に係るパイプ吊下装置１００が示してあるが、このパイプ吊下装置１００は、図１〜図７に示したように、溝内に設置された土留めパネルまたは矢板間に配置される横軸部１０と、当該溝内に敷設すべきパイプＰを吊下する縦軸部２０と、この縦軸部２０の下端に設けたパイプ取付部３０と、横軸部１０とパイプ取付部３０とを互いに支持する支持部４０Ａとを備えたものである。
【０１１７】
横軸部１０は、図２９に示したようなものであっても、また、図７〜図１１に示したようなものであってもよいが、いずれにしても、溝内に設置された土留めパネルまたは矢板間にて、位置調整可能かつ突っ張り状態で配置されるものである。また、この横軸部１０は、後述するような当接脚１６が土留めパネルまたは矢板の内面に圧接されることによって、縦軸部２０、この縦軸部２０の下端に設けたパイプ取付部３０、及びこのパイプ取付部３０によって吊下されたパイプＰを、当該溝内の所定位置に吊下するものである。
【０１１８】
縦軸部２０は、上記横軸部１０に対して支持部４０Ａによって組み付けられるものであり、かつ、この横軸部１０に対する上下位置が調整可能になっているものである。そして、この縦軸部２０の下端には、パイプＰを取り付けるためのパイプ取付部３０が取り付けてある。
【０１１９】
パイプ取付部３０は、図１、図３及び図４、または図５に示したように、その下面にパイプＰの上面を当接させた状態で当該パイプＰを吊下するものであり、かつ、当該パイプＰを変更することなく直径が異なるパイプＰを取り付け可能にしているものである。
【０１２０】
また、このパイプ取付部３０は、図３に示したように、縦軸部２０の下端に連結される連結部３１と、この連結部３１の両側に一体化されて、パイプＰの上面に当接する当接面３２ａをそれぞれ有した左右一対の翼部３２とを備えたものである。そして、各翼部３２の当接面３２ａのそれぞれは、図３の（ａ）にも示したように、内端部が連結部３１に向けて上方に傾斜する傾斜面としてある。
【０１２１】
以上の通り、このパイプ取付部３０は、縦軸部２０の下端に連結される連結部３１と、この連結部３１の両側に一体化される左右一対の翼部３２とを備えたものとしたのであるから、このパイプ取付部３０を、金属の引き抜き材または押し出し材によって形成できる。
【０１２２】
そして、連結部３１の両側に一体化した左右一対の翼部３２は、パイプＰの上面に当接するとともに、内端部が連結部３１に向けて上方に傾斜する傾斜面とした当接面３２ａをそれぞれ有していることから、このパイプ取付部３０は径の異なるパイプＰを吊下可能にしている。何故なら、一対の翼部３２が連結部３１の左右に位置していて、かつ各翼部３２の当接面３２ａの内端部が連結部３１に向けて上方に傾斜する傾斜面となっていることから、一般的に断面が真円になっているパイプＰの上面の２箇所が、図１にも示すように、各当接面３２ａのどこかに、「線状」で当接することになるからである。
【０１２３】
そして、このパイプ取付部３０については、図５に示したように、パイプＰの上面に突出する当接突起３２ｃを複数形成して実施してもよいものである。このような当接突起３２ｃをパイプ取付部３０の裏面に形成することにより、図５の（ａ）中の仮想線にて示したように、径の異なるパイプＰにいずれかの当接突起３２ｃが当接することになって、パイプ取付部３０に対してパイプＰをガタ付くことなく安定的に取り付けられる。つまり、パイプＰは断面が真円であるから、このパイプＰの上面には２本の当接突起３２ｃが当接することになり、これらの当接突起３２ｃによってパイプＰはパイプ取付部３０に安定的に固定されることになるのである。
【０１２４】
この当接突起３２ｃを形成すれば、パイプ取付部３０の形状は、図５の（ａ）及び（ｂ）に示すものに限定されない。各当接突起３２ｃは、径の異なるパイプＰの上面に当接するものであるが、パイプ取付部３０下面が例えば平らか緩やかな傾斜しか有していないのであれば、各当接突起３２ｃのパイプ取付部３０からの突出量を、内側から外側に向けて順に大きくなるようにすればよい。
【０１２５】
各当接突起３２ｃは、当該パイプ取付部３０を引き抜き材によって構成した場合は、パイプ取付部３０の引き抜き方向に連続する突条（直線状の突起）となるが、このような連続する突条でなくても、例えば上記引き抜き方向に並ぶ多数の突起群によって形成したものであってもよい。いずれにしても、各当接突起３２ｃは、パイプＰを取り付けたとき、パイプＰの軸心方向に延在しながら、つまり線状となってパイプＰ上面に当接することになる。
【０１２６】
さて、支持部４０Ａは、上述した横軸部１０とパイプ取付部３０とを図７に示したように連結するものであるが、この支持部４０Ａ内には、図７及び図８に示したように、横軸側移動輪４１と縦軸側移動輪４２とが回転可能に組み込んである。
【０１２７】
横軸側移動輪４１は、これを横軸部１０に当接させて回転させることにより、支持部４０Ａを横軸部１０の横方向へ移動させるものである。支持部４０Ａには縦軸部２０が支持してあるから、この支持部４０Ａが横方向へ移動することによって、この支持部４０Ａに支持されている縦軸部２０自体も横方向へ移動させるのである。
【０１２８】
横方向へ移動される縦軸部２０の下端にはパイプ取付部３０を介してパイプＰが取り付けてあるから、この縦軸部２０の横方向への移動によって、当該パイプＰの左右方向での位置調整がなされることになる。つまり、後述する最良形態では、図７中に示したハンドル４１ａを回わして横軸側移動輪４１を回転させれば、縦軸部２０、従ってこれに吊下されているパイプＰの横方向への位置調整が行えるのである。
【０１２９】
一方、支持部４０Ａに回転可能に組み込んだ縦軸側移動輪４２は、これを縦軸部２０に当接させて回転させることにより、この支持部４０Ａに支持した縦軸部２０が縦方向へ移動することになるから、この縦軸部２０の吊下したあるいは吊下されるべきパイプＰの上下方向の位置調整が行える。縦軸側移動輪４２には、図７に示したように、ハンドル４２ａが取り付けてあるから、この縦軸側移動輪４２の回転はこのハンドル４２ａを手動で回すことにより行える。
【０１３０】
なお、支持部４０Ａの、ハンドル４１ａまたは４２ａを取り付けた横軸側移動輪４１または縦軸側移動輪４２に対向すうパイプ取付部３０部分には、図８の（ａ）〜（ｃ）に示したように、従動輪４１ｂまたは４２ｂが回転自在に設けてあり、横軸部１０または縦軸部２０を、横軸側移動輪４１または縦軸側移動輪４２とともにしっかりと挟持できるようにしてある。また、横軸部１０または縦軸部２０は、図７及び図８に示したように、支持部４０Ａに設けたストッパ４１ｃまたは４２ｃによって所定位置での固定ができるようにしてある。
【０１３１】
また、図７に示したように、縦軸側移動輪４２とハンドル４２ａとの間には両者間の断続を行うクラッチ４２ｄが設けてあり、ハンドル４２ａの回転力が不必要なときに縦軸側移動輪４２に加わらないようにできる。勿論、このようなクラッチは、ハンドル４１ａと横軸側移動輪４１との間にも設けてある。
【０１３２】
図９には、横軸部１０に当接する横軸側移動輪４１の他の実施例が示してある。この図９の例では、円形の横軸部１０に対して、半径方向の均等な３方から、ハンドル４１ａによって回転される一個の横軸側移動輪４１と、二個の従動輪４１ｂが当接するようにしてある。
【０１３３】
さらに、このパイプ吊下装置１００は、図１及び図３に示したように、パイプ取付部３０に、パイプＰを取り付けるパイプ取付材６０を連結するためのパイプ取付材連結手段５０が設けられる。
【０１３４】
パイプ取付材連結手段５０はを設けたものであり、このパイプ取付材連結手段５０によって、パイプＰに巻き付けたパイプ取付材６０のパイプ取付部３０に対する連結及び締め付けが確実に行えるのであり、これにより、パイプＰの確実な吊下を更に実現しているのである。
【０１３５】
このパイプ取付材連結手段５０は、パイプ取付材６０の巻き取りと締め付け、及びパイプ取付部３０への連結を行うものであり、どのようなタイプのものであってもよいが、パイプ取付部３０の一箇所に設けられる。このパイプ取付材連結手段５０は、そのレバーを手動で往復動させることにより、内部のラチェットでの作用により、パイプ取付材６０の巻き取り及び締め付けを行うものである。
【０１３６】
パイプ取付材６０は、可撓性とパイプＰを吊下するのに十分な強度を有している、所謂「紐状物」あるいは「チェーン状物」であり、一方の端を上記パイプ取付材連結手段５０によって巻き取り・締め付けが行えれば、他方の端をパイプ取付部３０に係止しておくだけで、パイプＰに巻き付けてその吊下を行うには十分なものである。
【０１３７】
（第２実施例）
図１０及び図１１には、本発明の第２実施例に係るパイプ吊下装置１００が示してあるが、このパイプ吊下装置１００では、その横軸部１０が以下のような具体化を行ったものであり、他の構成部材については、実質的に上記第１実施例と同様であるので、第１実施例での構成部材と同じ部材については、図１０及び図１１中に同一符号を付して、その詳細な説明は省略する。
【０１３８】
すなわち、この第２実施例に係るパイプ吊下装置１００は、その横軸部１０を、図１０及び図１１に示したように、中空の横軸本体１０Ａと、この横軸本体１０Ａ内に抜き差し自在に嵌挿されて、所定寸法突出させた位置で横軸本体１０Ａに固定される中軸１３と、この中軸１３に対して螺進螺退可能に螺着されるネジ軸１４とにより構成してある。
【０１３９】
つまり、このパイプ吊下装置１００を使用する場合は、その横軸本体１０Ａ内から左右の中軸１３を引き出して、当該横軸部１０の両端に設けてある当接脚１６間の寸法が、土留めパネルまたは矢板間の寸法程度になるようにする。そして、これらの中軸１３が横軸本体１０Ａから所定寸法突出されたら、その位置で、横軸本体１０Ａ及び中軸１３に形成された位置決め穴（図１７参照）に例えば固定ピンを差し込んで両者を固定する（図１６の左方部分の差し込みピン参照）。
【０１４０】
次に、何れか少なくとも一方の中軸１３に対しては、yが螺進螺退可能に螺着してあるから、このネジ軸１４を何らかの手段によって螺進（必要に応じて螺退）させるのである。そうすると、この横軸部１０は、左右のパネルもしくは矢板を左右に押し広げるように、これらのパネルもしくは矢板間で「突っ張る」ことになって、当該パイプ吊下装置１００の溝内での固定が完了するのである。このネジ軸１４の回転量は、当該横軸部１０がパネルや矢板間から落ちない程度の位置で既に各中軸１３の引き出しが行われているのであるから、当該横軸部１０がパネルや矢板間で突っ張れる程度、つまりほんの少しで十分である。
【０１４１】
そして、このパイプ吊下装置１００は、ネジ軸１４の一部にハンドル１７が一体的に取り付けてあり、このハンドル１７を回転させれば、ネジ軸１４が自動的に回転できりょうにしてある。つまり、この第２実施例のパイプ吊下装置１００では、ｚを回転させることによってネジ軸１４の回転を行うことができ、ネジ軸１４の回転のための特別な道具を必要としないのである。
【０１４２】
さらに、上記ネジ軸１４の先端に、前記土留めパネルまたは矢板に当接される当接脚１６を連結して、この当接脚１６とネジ軸１４との間にスラスト部材１５を介装することができ、土留めパネルまたは矢板に当接されて動かない当接脚１６に対して、ネジ軸１４を回転できるものとしてある。
【０１４３】
なお、この第２実施例に係るパイプ吊下装置１００では、図１０の（ａ）に示したような、ハンドル４２ａによって回転され、ネジとして構成してある縦軸部２０、及びネジ軸１４、図１０の（ｂ）に示したような、ボールネジ４３あるいはラックギア４４が露出するこになるが、これらの露出部分を蛇腹やスポンジで覆うと良い。何故なら、所謂土木工事で使用されるパイプ吊下装置１００について、これらの露出し得る部分が存在すると、これらの部分に土や砂が付着して、その「ネジ」としての機能を損なうから、これを蛇腹やスポンジで覆って回避するのである。
【０１４４】
（第３実施例）
図１３〜図１８には、本発明の第３実施例に係るパイプ吊下装置１００が示してあるが、その基本とするところは、まず、縦軸部２０をネジ軸とし、この縦軸部２０の下端にパイプ取付部３０を螺着したことと、このネジ軸である縦軸部２０の上部を可動ブロック４０Ｂに螺着したことである。
【０１４５】
つまり、この第３実施例に係るパイプ吊下装置１００は、横軸部１０に案内支持部１１を連結し、この案内支持部１１内に可動ブロック４０Ｂを左右動可能に収納するとともに、案内支持部１１に、可動ブロック４０Ｂの上下を外方に臨ませる長穴１２を形成し、さらに、縦軸部２０を可動ブロック４０Ｂに上下動可能に連結して、当該縦軸部２０を上下の両長穴１２から上下に突出させたものである。
【０１４６】
このパイプ吊下装置１００は、可動ブロック４０Ｂによって縦軸部２０の水平方向の位置調整が行えるようにしたものであり、そのために、このパイプ吊下装置１００では、図１３及び図１７に示したように、横軸部１０に案内支持部１１を連結し、この案内支持部１１内に可動ブロック４０Ｂを左右動可能に収納したものである。勿論、案内支持部１１には、図１７に示したように、可動ブロック４０Ｂの上下を外方に臨ませる長穴１２が形成してある。
【０１４７】
また、縦軸部２０は、図１３及び図１５に示したように、可動ブロック４０Ｂに対して上下動可能に連結してあるとともに、図１７にも示したように、上下の両長穴１２から上下に突出させてある。
【０１４８】
なお、縦軸部２０の上下方向の位置調整は、この縦軸部２０を構成して可動ブロック４０Ｂに螺合させてあるネジ軸２３を回転させることによりなされる。このネジ軸２３の回転自体は、手動で行ったり、モータ４６によって回転させたりすることによってなされる。
【０１４９】
特に、このパイプ吊下装置１００では、横軸部１０に案内支持部１１を連結し、この案内支持部１１内に、縦軸部２０の横方向の位置調整を行う可動ブロック４０Ｂを左右動可能に収納するようにしているから、非常に重いパイプＰを吊下したときの縦軸部２０の横軸部１０に対する支持を無理なく行えるのである。また、このパイプ吊下装置１００では、案内支持部１１内に収納した可動ブロック４０Ｂを、モータ４６等によって左右動し得るようにしているから、非常に重いパイプＰを吊下した縦軸部２０の横方向への位置調整を容易に行なえる。
【０１５０】
なお、この第３実施例のパイプ吊下装置１００は、図１３に示したように、パイプ取付部３０にさらに照準器７０を取付アーム７１によって取り付けてあり、この照準器７０によってパイプＰ内を通して当該パイプＰの設置位置が適当であるか否かをチェックできるようになっている。
【０１５１】
また、このパイプ吊下装置１００の可動ブロック４０Ｂには、図１６及び図１８に示したように、案内支持部１１内に組み込んだチェーンまたはワイヤ４７の両端部が接続してあり、チェーンまたはワイヤ４７は図示しないモータなどによって回転されるスプロケット等に掛装してある。つまり、図示しないモータ等が所定方向に回転されると、可動ブロック４０Ｂが、チェーンまたはワイヤ４７を介して図１６の左右方向に移動されることになるのであり、これにより、当該可動ブロック４０Ｂに支持された縦軸部２０の横方向の位置調整が行えるのである。
【０１５２】
このパイプ吊下装置１００では、案内支持部１１内に収納した可動ブロック４０Ｂを、モータ等によって駆動されるチェーンまたはワイヤ４７によって左右動するようにしているから、非常に重いパイプＰを吊下した縦軸部２０の横方向への位置調整が容易に行なえる。
【０１５３】
（第４実施例）
図１９〜図２４には、本発明の第４実施例に係るパイプ吊下装置１００が示してあるが、この第４実施例では、図２０にも示したように、横軸部１０を互いに平行な第１横軸１０ａ及び第２横軸１０ｂ、これらを連結する案内支持部１１によって構成してある。
【０１５４】
横軸部１０を、案内支持部１１によって連結される第１横軸１０ａと第２横軸１０ｂとによって構成すれば、これらの第１横軸１０ａと第２横軸１０ｂとの間に縦軸部２０の設置空間ができるし、第１横軸１０ａ及び第２横軸１０ｂを比較的細くて軽量に形成できるから、結果として、パイプ吊下装置１００全体の重量を軽減できることになる。
【０１５５】
また、この第４実施例に係るパイプ吊下装置１００は、上記第３実施例に係るパイプ吊下装置１００と同様に、図２０にも示したように、横軸部１０に案内支持部１１を連結し、この案内支持部１１内に可動ブロック４０Ｂを左右動可能に収納してある。案内支持部１１には、可動ブロック４０Ｂの上下を外方に臨ませる長穴１２を形成し、縦軸部２０を可動ブロック４０Ｂに上下動可能に連結して、当該縦軸部２０を上下の両長穴１２から上下に突出させている。これにより、このパイプ吊下装置１００は、可動ブロック４０Ｂによって縦軸部２０の水平方向の位置調整が行えるのである。
【０１５６】
また、縦軸部２０は、図１３及び図１５に示したように、可動ブロック４０Ｂに対して上下動可能に連結してあるとともに、図１７にも示したように、上下の両長穴１２から上下に突出させてあることは、上記第３実施例の場合と同様である。
【０１５７】
さらに、この第４実施例に係るパイプ吊下装置１００では、縦軸部２０の案内支持部１１に対する左右方向への移動は、案内支持部１１に取り付けたラチェットバークランプ４５により可動ブロック４０Ｂを移動させることにより行うようにしている。
【０１５８】
ラチェットバークランプ４５は、図１９及び図２０に示したように、横軸部１０にこれと平行に取り付けた案内支持部１１に組み付けられるもので、そのレバーを手で握ることにより、図示しない内部機構による「ギクシャク運動」によって、案内支持部１１に対して所定寸法進行し得るようにしたものであり、この進行によって当該ラチェットバークランプ４５のクランプ部４５ａが可動ブロック４０Ｂを押すものである。
【０１５９】
勿論、可動ブロック４０Ｂの横方向への移動は、横軸部１０の左右方向へ行う必要があるから、ラチェットバークランプ４５としては２個用意され、その各クランプ部４５ａが可動ブロック４０Ｂの両側に当接し得るようにしてある。なお、各ラチェットバークランプ４５のレバーによる進行方向は一方向であるため、その案内支持部１１に対する固定を行う機構については、解除手段が設けてある。
【０１６０】
勿論、可動ブロック４０Ｂを移動させるラチェットバークランプ４５は、図２１に示したように、モータ４６によって駆動されるチェーンまたはワイヤ４７に代えて実施してもよく、図２２に示したようなボールネジ４３、あるいは図２３に示したラックギア４４及びピニオン４３ｂに代えて実施してもよいものである。
【０１６１】
（第５実施例）
図２４〜図２８には、本発明の第５実施例が示してあるが、この第５実施例に係るパイプ吊下装置１００では、図２４〜図２６に示したように、まず、縦軸部２０を、箱状の上下調整部材２２と、この上下調整部材２２の側面に形成した上下方向に長い長穴２２ａと、上下調整部材２２の上下にそれぞれ取付られる上側ネジ軸２３及び下側ネジ軸２４とにより構成してある。一方、横軸部１０は、上下調整部材２２内に上下動可能に収納した連結部材２１に、上下調整部材２２に形成した長穴２２ａを通して螺合されるネジ軸として構成してある。そして、縦軸部２０を構成している上側ネジ軸２３の下端は、上下調整部材２２内の連結部材２１に回転自在に連結してある。
【０１６２】
また、このパイプ吊下装置１００を構成している縦軸部２０の横軸部１０に対する左右方向への移動は、図２４及び図２６に示したように、上下調整部材２２に取り付けたラチェットバークランプ４５により上下調整部材２２を移動させて行うようにしてある。
【０１６３】
ラチェットバークランプ４５は、図２４及び図２６にしたように、横軸部１０にこれと平行に取り付けた上下調整部材２２に組み付けられるもので、そのレバーを手で握ることにより、図示しない内部機構による「ギクシャク運動」によって、上下調整部材２２に対して所定寸法進行し得るようにしたものであり、この進行によって当該ラチェットバークランプ４５のクランプ部４５ａが上下調整部材２２を押すものである。
【０１６４】
そして、縦軸部２０の横軸部１０に対する上下方向への移動は、ネジ軸２３を回転させることにより、上下調整部材２２に対してネジ軸２３を進退させることにより行う。つまり、ネジ軸２３を例えば正回転させることによりこのネジ軸２３は上下調整部材２２に対して螺進し、相対的に連結部材２１が上動するのであり、結果的に、縦軸部２０は横軸部１０に対して上動することになる。縦軸部２０を下動させたい場合は、ネジ軸２３を逆回転させればよい。
【０１６５】
勿論、上下調整部材２２を移動させるラチェットバークランプ４５は、図２６に示したように、モータ４６によって駆動されるチェーンまたはワイヤ４７に代えて実施してもよく、図２８に示したようなボールネジ４３、あるいはラックギア４４及びピニオン４３ｂに代えて実施してもよいものである。
【図面の簡単な説明】
【０１６６】
【図１】本発明の第１実施例に係るパイプ吊下装置の正面図である。
【図２】同パイプ吊下装置の平面図である。
【図３】同パイプ吊下装置を構成する縦軸部の下端に取り付けられるパイプ取付部を示したもので、（ａ）は拡大正面図、（ｂ）は右側面図である。
【図４】同パイプ取付部の拡大平面図である。
【図５】同パイプ取付部の他の実施例を示したもので、（ａ）は拡大正面図、（ｂ）は底面図である。
【図６】同パイプ取付部の他の３つ例を（ａ）〜（ｃ）にて示した正面図である。
【図７】本発明の第１実施例の他の例に係るパイプ吊下装置の概略側面図である。
【図８】同パイプ吊下装置において採用した支持部を示したもので、（ａ）は拡大側面図、（ｂ）は拡大平面図、（ｃ）は拡大正面図である。
【図９】同パイプ吊下装置の横軸部の支持方法を変えたときの概略側面図である。
【図１０】本発明の第２実施例に係るパイプ吊下装置を示したもので、（ａ）は概略正面図、（ｂ）は平面図である。
【図１１】同パイプ吊下装置の横軸部を示した概略平面図である。
【図１２】同パイプ吊下装置の横軸部の他の例を示すもので、（ａ）は各部材を収納したときの拡大断面図、（ｂ）は各部材を引き出したときの拡大断面図である。
【図１３】本発明の第３実施例に係るパイプ吊下装置の正面図である。
【図１４】同パイプ吊下装置において使用している縦軸部とパイプ取付部との関係を示した拡大正面図である。
【図１５】同パイプ吊下装置の側面図である。
【図１６】同パイプ吊下装置において採用している可動ブロック内を拡大して示した部分拡大破断正面図である。
【図１７】同パイプ吊下装置の平面図である。
【図１８】同パイプ吊下装置のチェーンまたはワイヤの可動ブロックに対する位置関係を示した部分平面図である。
【図１９】本発明の第４実施例に係るパイプ吊下装置の正面図である。
【図２０】同平面図である。
【図２１】同パイプ吊下装置の可動ブロックの駆動方法を他に変えたときの平面図である。
【図２２】同パイプ吊下装置の可動ブロックの駆動方法をさらに他に変えたときの平面図である。
【図２３】同パイプ吊下装置の可動ブロックの駆動方法を次に変えたときの平面図である。
【図２４】本発明の第５実施例に係るパイプ吊下装置の正面図である。
【図２５】同パイプ吊下装置の側面図である。
【図２６】同パイプ吊下装置の平面図である。
【図２７】同パイプ吊下装置の上下調整部材の駆動方法を変えたときの平面図である。
【図２８】同パイプ吊下装置の上下調整部材の駆動方法を他に変えたときの平面図である。
【図２９】従来の技術を示した斜視図である。
【符号の説明】
【０１６７】
１００    パイプ吊下装置
１０    横軸部
１０Ａ  横軸本体
１０ａ  第１横軸
１０ｂ  第２横軸
１１    案内支持部
１１ａ  取付アーム
１２    長穴
１３ａ  第１中軸
１３ｂ  第２中軸
１４    ネジ軸
１５    スラスト部材
１６    当接脚
２０    縦軸部
２１    連結部材
２２    上下調整部材
２２ａ  長穴
２３・２４    ネジ軸
３０    パイプ取付部
３１    連結部
３２    翼部
３２ａ  当接面
３２ｂ  除肉部
３２ｃ  当接突起
３４    当接部
４０Ａ  支持部
４０Ｂ  可動ブロック
４１    横軸側移動輪
４２    縦軸側移動輪
４３    ボールネジ
４３ａ  移動体
４３ｂ  ピニオン
４４    ラックギア
４５    ラチェットバークランプ
４５ａ  クランプ部
４６    モータ
４７    チェーンまたはワイヤ
５０    パイプ取付材連結手段
６０    パイプ取付材
７０    照準器
７１    取付アーム
【図１】
2010127045.tif 000003
【図２】
2010127045.tif 000004
【図３】
2010127045.tif 000005
【図４】
2010127045.tif 000006
【図５】
2010127045.tif 000007
【図６】
2010127045.tif 000008
【図７】
2010127045.tif 000009
【図８】
2010127045.tif 000010
【図９】
2010127045.tif 000011
【図１０】
2010127045.tif 000012
【図１１】
2010127045.tif 000013
【図１２】
2010127045.tif 000014
【図１３】
2010127045.tif 000015
【図１４】
2010127045.tif 000016
【図１５】
2010127045.tif 000017
【図１６】
2010127045.tif 000018
【図１７】
2010127045.tif 000019
【図１８】
2010127045.tif 000020
【図１９】
2010127045.tif 000021
【図２０】
2010127045.tif 000022
【図２１】
2010127045.tif 000023
【図２２】
2010127045.tif 000024
【図２３】
2010127045.tif 000025
【図２４】
2010127045.tif 000026
【図２５】
2010127045.tif 000027
【図２６】
2010127045.tif 000028
【図２７】
2010127045.tif 000029
【図２８】
2010127045.tif 000030
【図２９】
2010127045.tif 000031